(57)【要約】【課題】  １つの個室を形成する部材がまとまった単位で保管でき、避難施設で簡単に設置でき、個室として独立している簡易個室構造物を提供する。【解決手段】  方形箱体の収納体１１０と、それらの中に収納されている複数の部材を用いて形成する簡易個室構造物１００である。収納体１１０の方形の外枠体が一つの角とその対角の２箇所で分割可能な構造であり、収納体１１０の外枠体から水平断面がＬ字状の第１の角部材が２つ得られ、複数の壁面パネル１２０が得られる。２つの第１の角部材１１１、１１２を、それぞれ２箇所の既設の角部分として利用し、それぞれの角部分同士の間を、壁面パネル１２０を立設させて接合し、周回する壁面部分を形成する。【選択図】  図２
0003231983.tif 000002
【実用新案登録請求の範囲】
【請求項１】
方形箱体の収納体と、それらの中に収納されている複数の部材を用いて形成する簡易個室構造物であって、
前記収納体の方形の外枠体が一つの角とその対角の２箇所で分割可能な構造であり、前記収納体の外枠体から水平断面がＬ字状の第１の角部材が２つ得られ、
前記収納体の内部に収納されている部材として、少なくとも複数の壁面パネルを含み、
２つの前記第１の角部材を、それぞれ２箇所の既設の角部分として利用し、それぞれの前記角部分同士の間を、前記壁面パネル体を立設させて接合し、周回する壁面部分を形成することを特徴とした簡易個室構造物。
【請求項２】
少なくとも前記壁面部分の形成に使用される前記壁面パネルが、立設状態の一方の側面に凸縁部分、他の側面に前記凸縁部分と嵌合する凹溝部分を備え、前記壁面パネルの前記凸縁部分に対して隣接する前記壁面パネルの前記凹溝部分を嵌合させてゆくことにより、前記壁面パネル同士を接合できることを特徴とする請求項１に記載の簡易個室構造物。
【請求項３】
少なくとも前記壁面部分の形成に使用される前記壁面パネルが、立設状態の上縁に凹溝部分を備え、隣接し合う前記壁面パネル同士の上縁にて前記凹溝部分が連続して連なる線溝形状を形成し得るものとなっており、
前記収納体に前記凹溝部分に嵌合する突条のサネ嵌合部材が収納されており、
前記突条のサネ嵌合部材を、前記壁面パネル同士の接合箇所の線溝形状の前記凹溝部分を橋梁するように嵌合させ、前記壁面部分の強度を向上せしめたことを特徴とする請求項１または２に記載の簡易個室構造物。
【請求項４】
矩形に組んだ周回する前記壁面部分の４つの角部分のうち、２つの前記第１の角部材以外の２つの角部分において、直角に隣接し合う壁面パネルの上縁において水平断面がＬ字状の凹溝部分が形成され、
前記収納体に、前記角部分における前記Ｌ字状の凹溝部分に嵌合する水平断面がＬ字状の角サネ嵌合部材が収納されており、
前記Ｌ字状の角サネ嵌合部材を、前記角部分の前記Ｌ字状の凹溝部分に嵌合させ、前記角部分の強度を向上せしめたことを特徴とする請求項１から３のいずれかに記載の簡易個室構造物。
【請求項５】
前記収納体に、前記角サネ嵌合部材を取り付けた前記角部分の外面に貼り付ける補強用の水平断面がＬ字型の補強材が収納されており、
前記角サネ嵌合部材を取り付けた前記角部分の外面に前記Ｌ字型の補強材を貼り付けたことを特徴とする請求項１から４のいずれかに記載の簡易個室構造物。
【請求項６】
前記収納体が、方形箱体の第１の収納体と、方形箱体の第２の収納体の２つの方形箱体を備えたものであり、
前記第１の収納体の方形の外枠体が一つの角とその対角の２箇所で分割可能な構造であり、前記第１の収納体の外枠体から水平断面がＬ字状の前記第１の角部材が２つ得られ、
前記第２の収納体の方形の外枠体が一つの角とその対角の２箇所で分割可能な構造であり、前記第２の収納体の外枠体から水平断面がＬ字状の第２の角部材が２つ得られ、
前記第１の収納体の内部に収納されている部材および前記第２の収納体の内部に収納されている部材として、少なくとも複数の壁面パネルを含み、
２つの前記第１の角部材と２つの前記第２の角部材を、それぞれ４つの既設の角部分として利用し、それぞれの前記４つの角部分同士の間を、前記第１の壁面パネル体を立設させて接合し、周回する壁面部分を形成することを特徴とした請求項１から３のいずれかに記載の簡易個室構造物。
【請求項７】
前記収納体に、内部に断熱材を含み、床面に載置して床面部分を形成する床面パネルが複数収納されており、
前記床面パネルを床面に載置して床面部分を形成することを特徴とする請求項１から６のいずれかに記載の簡易個室構造物。
【請求項８】
前記壁面部分の一部に出入口用のドアを設けたことを特徴とする請求項１から７のいずれかに記載の簡易個室構造物。
【請求項９】
前記壁面パネルの内部に吸音材を配して音低減効果または遮音効果を持たせたことを特徴とする請求項１から８のいずれかに記載の簡易個室構造物。
【請求項１０】
前記床面パネルの内部に吸音材を配して音低減効果または遮音効果を持たせたことを特徴とする請求項７に記載の簡易個室構造物。
【考案の詳細な説明】
【技術分野】
【０００１】
本考案は、地震、台風、水害などの災害発生時に避難所に避難した人々が一時的に避難して滞在するするための簡易個室に関するものである。また、疾病対策として、緊急に間仕切りとして簡易的に個別空間を提供できる簡易個室に関するものである。
【背景技術】
【０００２】
地震、台風、水害などの災害発生時に、自主的または避難命令が出された際に学校の体育館、公民館のような公共施設が避難所として指定されることが多い。台風が単に通過して行き過ぎる場合であれば、数時間やせいぜい１日程度の期間のみであるので、避難者に対して長期間の滞在に耐えるような空間を提供する必要性は少ない。しかし、被害が大規模で住宅の一部損壊または全壊などの災害となると、避難者の避難生活が長期化する場合があり、長期間の滞在に耐えるような空間の提供が必要となってくる。
しかし、そのような災害発生は予測が困難であり、緊急事態であり、常設の個室などを用意する訳には行かない。そこで、自治体を中心として避難施設の内部空間に簡単に設置でき、簡単に撤去できる簡易間仕切りが注目されている。
ここで、間仕切りといっても衝立を立てただけの間仕切りでは十分なプライバシーが守れず、ある程度の区画が保たれたいわゆる個室が必要とされる。
【０００３】
ただし、部材を組み上げて個室を形成することは容易ではなく、災害時の緊急事態では、基礎工事もなく、避難施設の内部空間に立設しただけの簡易的な個室構造物が必要である。
従来技術において、板体、段ボール、プラスチック樹脂などの部材を用いて個室構造物を提供するものが幾つか提案されている。
【０００４】
例えば、特開２００６−２１４２７１号公報（特許文献１）に開示された簡易間仕切り構造が知られている。
図１２は、特開２００６−２１４２７１号公報（特許文献１）に開示された簡易間仕切り構造を示す図である。図１２に示すように、特開２００６−２１４２７１号公報に開示された簡易間仕切り構造は、複数の壁パネル１をその連結部上縁及び下縁に嵌合される嵌合溝７を有する直線金具６ａ及びＬ形金具６ｂを含む連結金具６で連結して区画領域４を形成し、上縁及び下縁に装着された連結金具６同士を上下方向に締結する締結ベルトを備えた簡易間仕切り構造である。
この特許文献１の壁パネルはベニヤ板や断熱ボードなどが例示されている。
【０００５】
また、例えば、特開平１０−１７９３００号公報（特許文献２）に開示されたパーテーション装置が知られている。
図１３は、特開平１０−１７９３００号公報（特許文献２）に開示されたパーテーション装置を示す図である。
図１３に示すように、特開平１０−１７９３００号公報に開示されたパーテーション装置は、パーテーションボードの連結縁間に介在して起立する断面形状が一定なセンターポールと、パーテーションボードの連結縁に沿って固定されその長さ方向に断面形状が一定な第１係合部を有する側縁カバーと、センターポールの外周に端から順に嵌合され長さ方向に断面形状が一定な第２係合部を有する複数のジョイント部材とを備え、異なるパーテーションボードの側縁カバーの第１係合部にそれぞれ適宜数のジョイント部材の第２係合部を係合させて複数のパーテーションボードをセンターポールに連結されたものとなっている。
この特許文献２の壁パネルはプラスチック樹脂ボードが例示されている。
【０００６】
また、例えば、実用新案登録第３１３７２５５号公報（特許文献３）に開示された簡易組み立てハウスが知られている。
図１４は、実用新案登録第３１３７２５５号公報（特許文献３）に開示された簡易組み立てハウスを示す図である。
図１４に示すように、実用新案登録第３１３７２５５号公報に開示された簡易組み立てハウスは、複数の方形の段ボールパネルの縦方向の縁部を接合することで四方を壁材２で包囲された部屋Ｒを構築する組み立て式の簡易組み立てハウスである。隣接する部屋同士を隔てる仕切り壁５となる段ボールパネルを共通化して強度を向上せしめ、直列に連結された複数の部屋群を構築するものである。
【０００７】
【特許文献１】特開２００６−２１４２７１号公報
【特許文献２】特開平１０−１７９３００号公報
【特許文献３】実用新案登録第３１３７２５５号公報
【考案の開示】
【考案が解決しようとする課題】
【０００８】
しかし、上記従来技術には様々な問題があった。それは、災害発生時は緊急事態であり下記条件が必要とされるが、それら条件が満たされているものがなかった。
第１の条件は、平常時の収納状態が１つの個室の部材がコンパクトかつ安定した状態で保管できることである。災害発生時は緊急事態であり、災害発生後に運搬するようでは運搬作業に相当な負荷がかかる上、道路などが寸断されている可能性もあるため、避難箇所に平常時から収納しておく必要があるが、１つの個室を形成する部材が一まとまりでコンパクトに保管できる必要がある。つまり、壁面パネルや床面パネルなど必要部材がセットとして収納・保管でき、緊急時に簡単に組み上げられることが必要である。
第２の条件は、避難施設の内部空間に簡単に設置できるものという条件である。災害発生時は緊急事態であり、設置するために大人数を要したり、複雑な組み立て手順で時間を要したりすることは期待できない。そのため、避難施設の内部空間に簡単に設置できる条件は必要である。
第３の条件は、間仕切りといってもある程度の区画が保たれたいわゆる個室であるという条件である。特に、他の避難者からの視線を遮る程度の高さの壁面、鍵のかかる扉などを備えた方が好ましい。
第４の条件は、内部に断熱材を備えて表面が清掃しやすいシート材で覆われたもので、寒さ対策と清掃作業がしやすいという条件である。
これら４つの条件が同時に満たされなければならないが、上記した従来技術のものはそれらの条件を兼ね備えたものではなかった。
【０００９】
特許文献１の特開２００６−２１４２７１号公報に開示された簡易間仕切り構造は、パネル自体はベニヤ板や断熱ボード素材で軽いものの、いずれの条件も満たすものではない。
第１の条件は満たされていない。複数の壁パネル１、直線金具６ａ及びＬ形金具６ｂなどの連結金具６が必要であるが、それらを多数まとめて保管するのみであり十分に仕分けられておらず、どこにどの部材を配置するか決めた上でそれら部材を取り揃えるところから着手する必要があり、相当な混乱を招くことが拝察できる。
第２の条件も満たされていない。連結する構造自体が複雑であり、やはり設置に負荷が大きく、簡易に構築できるものではない。まず、嵌合溝を有する直線金具及びＬ形金具を含む連結金具で連結して区画領域を形成する必要がある。次に、複数の壁パネルを差してゆき、さらに、上縁及び下縁に装着された連結金具相互を上下方向に締結ベルトを用いて締結する必要があった。
さらに、第３の条件も満たされていない。特許文献１の簡易間仕切り構造は、ハニカム構造のように多数の個室を集合的して壁面を共通化させることにより全体として機械的構造強度を向上させたものである。そのため隣接し合う個室同士が文字通り「薄壁一枚」で隔たれただけであり、生活音どころか息遣いまで聞こえてしまい、プライバシーを守るという個室のメリットが大きく減じられている。
【００１０】
特許文献２の特開平１０−１７９３００号公報に開示されたパーテーション装置は、パネル自体はプラスチック樹脂素材で軽いものの、いずれの条件も満たすものではない。
第１の条件は満たされていない。部材としてはセンターポール、パーテーションボード、側縁カバー、ジョイント部材などがあり、それらが多数まとめて保管するのみであり十分に仕分けられておらず、どこにどの部材を配置するか決めた上でそれら部材を取り揃えるところから着手する必要があり、相当な混乱を招くことが拝察できる。
第２の条件も満たされていない。連結する構造自体が複雑であり、やはり設置に負荷が大きく、簡易に構築できるものではない。まず、パーテーションボードの連結縁間にセンターポールを組み立てる必要がある。さらに、側縁カバーとジョイント部材を用いてパーテーションボードを連綿と組み立ててゆく必要がある。やはり設置に負荷が大きく、簡易に構築できるものではない。
さらに、第３の条件も満たされていない。特許文献２のパーテーション装置は、ハニカム構造のように多数の個室を集合的して壁面を共通化させることにより全体として機械的構造強度を向上させたものである。そのため隣接し合う個室同士がパーテーションボード一枚で隔たれただけであり、生活音どころか息遣いまで聞こえてしまい、プライバシーを守るという個室のメリットが大きく減じられている。
【００１１】
特許文献３の実用新案登録第３１３７２５５号公報に開示された簡易組み立てハウスは、パネル自体は段ボール素材で軽いものの、いずれの条件も満たすものではない。
第１の条件は満たされていない。部材としては側面壁用の壁材、仕切り壁用の壁材、ジョイント部材などがあり、それらが多数まとめて保管するのみであり十分に仕分けられておらず、どこにどの部材を配置するか決めた上でそれら部材を取り揃えるところから着手する必要があり、相当な混乱を招くことが拝察できる。
第２の条件も満たされていない。連結する構造自体が複雑であり、縁部の折り曲げとジョイント部材で連結孔を介して接合するなど、やはり設置に負荷が大きく、簡易に構築できるものではない。
さらに、第３の条件も満たされていない。特許文献３の簡易組み立てハウスは、ハニカム構造のように多数の個室を集合的して壁面を共通化させることにより全体として機械的構造強度を向上させたものである。そのため隣接し合う個室同士が段ボール一枚で隔たれただけであり、生活音どころか息遣いまで聞こえてしまい、プライバシーを守るという個室のメリットが大きく減じられている。
【００１２】
そこで、上記問題に鑑み、本考案は、１つの個室を形成する部材がコンパクトにまとまった単位で収納・保管でき、避難施設の内部空間に簡単に設置でき、個室として完全に独立しており、近隣の個室とは壁面を共有することなく、間隔が隔てられており、かつ床面に断熱効果も持たせた簡易個室構造物を提供することを目的とする。
【課題を解決するための手段】
【００１３】
上記目的を達成するため、本考案の簡易個室構造物は、方形箱体の収納体と、それらの中に収納されている複数の部材を用いて形成する簡易個室構造物であって、前記収納体の方形の外枠体が一つの角とその対角の２箇所で分割可能な構造であり、前記収納体の外枠体から水平断面がＬ字状の第１の角部材が２つ得られ、  前記収納体の内部に収納されている部材として、少なくとも複数の壁面パネルを含み、２つの前記第１の角部材を、それぞれ２箇所の既設の角部分として利用し、それぞれの前記角部分同士の間を、前記壁面パネル体を立設させて接合し、周回する壁面部分を形成することを特徴とした簡易個室構造物である。
上記構成により、１つの個室を形成するための部材が、１つの方形の収納体という箱体に整理されて保管できる。かつ、個室の形成時には、方形の収納体のフレームである外枠体をそのまま角部材として利用できる。１つの個室の形成にあたり、組み立ての上で肝心となる隅をあらためて組み立てる必要なくそのまま利用できることは極めて有効であり、少なくとも２隅にそのまま載置して立てるだけで個室の外形が決まる。壁面はパネル同士を接合すれば良い。
【００１４】
なお、収納体として、２つの方形箱体、つまり、方形箱体の第１の収納体と、方形箱体の第２の収納体の２つの方形箱体を備えた構成も可能である。
この構成の場合、前記第１の収納体の方形の外枠体が一つの角とその対角の２箇所で分割可能な構造であり、前記第１の収納体の外枠体から水平断面がＬ字状の前記第１の角部材が２つ得られ、また、前記第２の収納体の方形の外枠体が一つの角とその対角の２箇所で分割可能な構造であり、前記第２の収納体の外枠体から水平断面がＬ字状の第２の角部材が２つ得られる。
これら前記第１の収納体の内部に収納されている部材および前記第２の収納体の内部に収納されている部材として、少なくとも複数の壁面パネルを含む。
２つの前記第１の角部材と２つの前記第２の角部材が得られ、それぞれ４つの既設の角部分として利用し、それぞれの前記４つの角部分同士の間を、前記第１の壁面パネル体を立設させて接合し、周回する壁面部分を形成することができる。
【００１５】
上記構成により、１つの個室を形成するための部材が、２つの方形の収納体という箱体に整理されて保管できる。かつ、個室の形成時には、２つの方形の収納体のフレームである外枠体をそのまま角部材として利用でき、１つの個室の形成にあたり、組み立ての上で肝心となる４隅をあらためて組み立てる必要なくそのまま利用できることは極めて有効であり、４隅にそのまま載置して立てるだけで個室の外形が決まる。壁面はパネル同士を接合すれば良い。
【００１６】
ここで、壁面パネル同士の接合が簡単にできるよう工夫を施すことが好ましい。例えば、少なくとも壁面パネルが、立設状態の一方の側面に凸縁部分、他の側面に凸縁部分と嵌合する凹溝部分を備えた構成とする。壁面パネルの凸縁部分に対して隣接する壁面パネルの凹溝部分を嵌合させてゆくことにより、壁面パネル同士を接合できる。
上記構成であれば、特に釘や連結部材などの介在なしに、１つの壁面パネルに対して接合する壁面パネルの端部を押し込むだけで簡単に連結されてゆき、かつ十分な構造的強度が得られる。
【００１７】
ここで、簡易個室構造物の構造的強度を向上する工夫を施すことが好ましい。
壁面部分については、壁面部分に使用される壁面パネルが、立設状態の上縁に凹溝部分を備えた構成としておき、隣接し合う壁面パネル同士の上縁にて凹溝部分が連続して連なる線溝形状となっている。ここで、第１の収納体と第２の収納体のいずれかまたは両方に、凹溝部分に嵌合する突条のサネ嵌合部材が収納されており、突条のサネ嵌合部材を壁面パネル同士の接合箇所の線溝形状の凹溝部分を橋梁するように嵌合させる。このように、突条のサネ嵌合部材により壁面パネル同士の接合箇所の線溝形状の凹溝部分を橋梁するように嵌合させれば壁面の構造的強度が向上でき、簡易個室構造物の強度が効果的に向上する。
【００１８】
次に、角部分について述べる。
上記の構成のうち、２つの方形箱体（第１の収納体と第２の収納体）に部材を収納して２つの箱体から本考案にかかる簡易個室構造物を形成する場合であれば、既設の角部材として第１の角部材２つと、第２の角部材２つの合計４つの角部材が得られるため、これら４つをそのまま矩形の簡易個室構造物の４隅の角部分に適用すれば、すべての角部分は丈夫で構造的強度も大きいと言える。
ここで、上記構成のうち、１つの方形箱体にすべての部材を収納して１つの箱体から本考案にかかる簡易個室構造物を形成する場合、２つ角部分については、既設の２つの第１の角部材をそれぞれ２箇所の既設の角部分として利用できるので、当該角部分は丈夫で構造的強度も大きいと言える。しかし、矩形に組んだ周回する前記壁面部分の４つの角部分のうち残りの２つの角部分は、壁面パネルが直角に位置し合うだけであり、当該角部分は構造的強度が十分とは言えない場合があり得る。ここで、当該箇所は壁面パネルが直角に会合しており、両者の凹溝部分がＬ字状に会合して形成されている。そこで、当該角部分におけるＬ字状の凹溝部分に嵌合する水平断面がＬ字状の角サネ嵌合部材を用いて補強する。収納体に、Ｌ字状の凹溝部分に嵌合するＬ字状の角サネ嵌合部材を供しておく。Ｌ字状の角サネ嵌合部材を、Ｌ字状の凹溝部分に嵌合させて補強すれば、残りの２箇所の角部分の構造的強度が向上でき、簡易個室構造物の強度が効果的に向上する。
【００１９】
さらに、収納体に、角サネ嵌合部材を取り付けた角部分の外面に貼り付ける補強用の水平断面がＬ字型の補強材を収納しておくことも好ましい。
角サネ嵌合部材を取り付けた角部分の外面に水平断面がＬ字型の補強材を貼り付ければ、簡易個室構造物の構造的強度の向上に資する。
さらに、本考案の簡易個室構造物において床面を形成することが好ましい。例えば、床面パネルを収納しておき、それら床面パネルを床面に載置して床面部分を形成する。
もともと公共施設である学校の体育館や公民館はフローリングなどの床材があるが、さらにその上に床材を敷き詰めることにより居住性が快適になる。さらに、床面パネルの内部に断熱材を備えておれば寒さ対策も配慮したものとなる。また、表面がＣＦシート（ビニール系のシート材）が構成されたものであれば、汚れに強く清掃が簡単に行える。
さらに、壁面部分の一部に出入口用のドアを設けたことも好ましい。
さらに、壁面パネル、第１の角部材、第２の角部材、床面パネルのいずれかまたは全部に、その内部に吸音材を配することが好ましい。吸音材は効果的に生活音や話声を吸収するので、音低減効果が得られ、居住クオリティが向上する。
【考案の効果】
【００２０】
本考案による簡易個室構造物によれば、１つの個室を形成するための部材が、方形箱体に整理されて保管できる。かつ、個室の形成時には、方形箱体のフレームである外枠体をそのまま角部材として利用でき、組み立て設置が容易である。また、完全に独立した個室を提供でき、プライバシー向上に資するものとなる。
【図面の簡単な説明】
【００２１】
【図１】実施例１にかかる本考案の簡易個室構造物１００の収納時における方形箱体の収納体での保管状態を示す図である。
【図２】本考案の簡易個室構造物１００を組み立てるべく、収納体１１０から部材を取り出した様子を示す図である。
【図３】第１の角部材１１２と壁面パネル１２０の嵌合接合、壁面パネル１２０同士の嵌合接合の様子を示す図である。
【図４】壁面部分を形成する壁面パネル１２０同士に形成される線状の凹溝部分に突条のサネ嵌合部材１５０を用いた補強構造を簡単に示す図である。
【図５】実施例１にかかる簡易個室構造物１００の組み立て時にできる壁面用１２０が直角に会合している角部分に形成されたＬ字状の凹溝部分に、角サネ嵌合部材１４０を用いた補強構造を簡単に示す図である。
【図６】実施例１にかかる簡易個室構造物１００の組み立て時にできる壁面用１２０が直角に会合している角部分に、補強材１６０を貼り付ける補強処理を簡単に示す図である。
【図７】実施例１にかかる本考案の簡易個室構造物１００の組み立て例を簡単に示す図である。
【図８】実施例２にかかる簡易個室構造物１００Ａの収納時における方形箱体の第１収納体１１０−１および第２の収納体１１０−２での保管状態を示す図である。
【図９】実施例２にかかる簡易個室構造物１００Ａの第１収納体１１０−１および第２の収納体１１０−２から部材を取り出した様子を示す図である。
【図１０】実施例２にかかる本考案の簡易個室構造物１００Ａの組み立て例を簡単に示す図である。
【図１１】壁面パネルの内部に吸音材を配設した構造例を示す図である。
【図１２】特開２００６−２１４２７１号公報（特許文献１）に開示された簡易間仕切り構造を示す図である。
【図１３】特開平１０−１７９３００号公報（特許文献２）に開示されたパーテーション装置を示す図である。
【図１４】実用新案登録第３１３７２５５号公報（特許文献３）に開示された簡易組み立てハウスを示す図である。
【考案を実施するための最良の形態】
【００２２】
以下、図面を参照しつつ、本考案の簡易個室構造物の実施形態を説明する。ただし、本考案の技術的範囲は以下の実施形態に示した具体的な用途や形状・寸法などには限定されない。
以下、実施例１は、本考案の簡易個室構造物１００が１つの方形の収納体という箱体にすべての部材が収納されて保管され、災害時などに展開して組み立てる構成例を説明する。
実施例２は、収納体として、２つの方形箱体、つまり、方形箱体の第１の収納体と、方形箱体の第２の収納体の２つの方形箱体を備え、部材がそれらに収納されて保管され、災害時などに展開して組み立てる構成例を説明する。
【実施例１】
【００２３】
実施例１は、１つの方形の収納体という箱体にすべての部材が収納されて保管されている構成例である。
図１は実施例１にかかる本考案の簡易個室構造物１００の収納時における方形箱体の収納体での保管状態を示す図である。
なお、保管場所および設置場所は、学校の体育館内や公民館内を想定している。
図１に示すように、本考案の簡易個室構造物１００は、平常時の保管状態では１つの個室を形成するための部材がすべて、１つの方形箱体である収納体１１０に収められている。
管理する行政としては、避難場所において、常備する簡易個室構造物１００の個数分だけ、収納体１１０を保管すれば良い。なお、図１の例では、コンパクトな方形箱体となっており、保管庫に整理して収納していれば良く、保管スペースが低減できる。また、展開する簡易個室構造物１００の個数分だけ保管庫から出せばその数の個室の形成に必要なすべての部材を運び込むことができる。
【００２４】
図２は、本考案の簡易個室構造物１００を組み立てるべく、収納体１１０から部材を取り出した様子を示す図である。本考案を理解する上で必要な部材のみを図示しており、他の一部の部材については図示していない場合もある。
図２に示すように、収納体１１０の方形の外枠体が一つの角とその対角の２箇所で分割可能な構造となっており、収納体１１０の外枠体からＬ字状の第１の角部材１１１ともう一つの第１の角部材１１２と、収納体１１０の内部に収納されていた複数の壁面パネル１２０（この例では２０枚）が得られる。
この例では、複数の床面パネル１３０（この例では７枚の第１の床面パネル１３０−１と２枚の第２の床面パネル１３０−２）が収納されており、さらに、２つのＬ字状の角サネ嵌合部材１４０、複数本の突条のサネ嵌合部材１５０、４つのＬ字型の補強材１６０、組み立て用具である木塊（図示せず）が入っている。
【００２５】
ここで、図２に示すように、Ｌ字状の２つの第１の角部材１１１および１１２が得られる。これらは、もともと方形箱体の収納体１１０の外枠フレームを構成していた角部材であり、十分な構造的強度が備わっているものである。これらのＬ字状の２つの角部材をそのまま簡易個室構造物１００の２隅の角部材として活用する。本来であれば、簡易個室構造物１００を形成する上において、十分な強度と十分な正確性（９０度の垂直接合）をもって４つの角部分を形成することが難しいところ、本考案の簡易個室構造物１００では、もともと方形箱体の角部として既設の構造物を２箇所においてそのまま用いるため、きわめて簡便に十分な強度と十分な正確性（９０度の垂直接合）を確保することができる。
【００２６】
以下、それら取り出した部材を組み合わせて本考案にかかる簡易個室構造物１００を組み立ててゆく手順を追って説明する。
【００２７】
図３は、第１の角部材と壁面パネル１２０の嵌合接合の様子を示す図である。
図３（ａ）に示すように、Ｌ字状の角部材の側面には、突条の凸形状“Ｐ１”が設けられており、Ｌ字状の角部材のもう一方の側面には凹溝形状“Ｐ２”が設けられている。この凹溝形状“Ｐ２”は図示していないが、壁面パネル１２０の凹溝形状“Ｐ２”と同様、突条の凸形状“Ｐ１”と嵌合し合う形状となっている。
壁面パネル１２０の側面にも、突条の凸形状“Ｐ１”が設けられており、もう一方の側面には凹溝形状“Ｐ２”が設けられている。この凹溝形状“Ｐ２”は図３（ａ）には図示していないが、Ｌ字状の角部材の凹溝形状“Ｐ２”と同様、突条の凸形状“Ｐ１”と嵌合し合う形状となっている。つまり、第１の角部材１１１，１１２，壁面パネル１２０には、一方の側面に突条の凸形状“Ｐ１”が設けられており、他方の側面には突条の凸形状“Ｐ１”と嵌合し合う凹溝形状“Ｐ２”が設けられており、それぞれ隣接し合うもの同士が凸形状“Ｐ１”と凹溝形状“Ｐ２”が嵌合することで簡単に接合するものとなっている。
【００２８】
図３（ｂ）は、隣接し合うもの同士の凸形状“Ｐ１”と凹溝形状“Ｐ２”が嵌合する様子を水平断面において簡単に示した図である。
図３（ｂ）に示すように、第１の角部材１１２に壁面パネル１２０を押し込んでゆくと、第１の角部材１１２の凸形状に対して壁面パネル１２０の凹溝形状が嵌合して両者が簡単に接合できる。なお、実際には構造的強度を確保するため、摩擦力が生じるように両者の間のサイズが調整されているため、木塊（図示せず）などで叩いて押し込む。
【００２９】
このように、位置決めして立設した第１の角部材１１２に対して、嵌合接合させる壁面パネル１２０を嵌合接合し、さらに、図３（ｂ）に示すように、壁面パネル１２０に対して次の壁面パネル１２０を押し込んでゆき、次々と壁面を形成してゆく。つまり、この構成例では、凸形状“Ｐ１”−隣の凹溝部分“Ｐ２”−凸形状“Ｐ１”−隣の凹溝部分“Ｐ２”−・・・の嵌合接合が連綿とつながって一周する構造となっている。
特に釘や連結部材などの介在なしに１つの壁面パネル１２０に対して接合する壁面パネル１２０の端部を押し込むだけで簡単に連結されてゆき、かつ十分な構造的強度が得られる。
収納体１１０の内部に壁面パネル１２０が必要枚数収納されている。この例では、壁面用の壁面パネルが２０枚揃っている。
【００３０】
次に、簡易個室構造物１００の構造的強度を向上する工夫を説明する。
図４は、壁面部分を形成する壁面パネル１２０同士に形成される線状の凹溝部分に突条のサネ嵌合部材１５０を用いた補強構造を簡単に示す図である。
図４に示すように、壁面部分の形成に使用される壁面パネル１２０が、立設状態の上縁において凹溝部分“Ｐ４”を備えており、隣接し合う壁面パネル１２０同士の上縁にてこの凹溝部分“Ｐ４”が連続して連なる線溝形状となっている。この連なる線溝形状の断面に対して、突条のサネ嵌合部材１５０は合致する断面形状“Ｐ３”を持つものとなっている。
【００３１】
図４に示すように、突条のサネ嵌合部材１５０を、壁面パネル１２０同士の接合箇所の線溝形状の凹溝部分“Ｐ４”を橋梁するように嵌合させる。突条のサネ嵌合部材１５０は一塊の突条サネであれば、簡単に破断したり曲がったりしない。そのため、突条のサネ嵌合部材１５０が線溝形状の凹溝部分“Ｐ４”を橋梁する凸形状“Ｐ３”として嵌合することにより、壁面部分の強度が向上する。
この突条のサネ嵌合部材１５０が壁面パネル１２０同士の接合箇所を橋梁するように嵌合してゆけば、簡易個室構造物１００全体の構造的強度が向上する。
さらに、この例では、図４（ａ）に示したように、下方にも壁面パネル１２０同士の接合箇所の線溝形状の凹溝部分“Ｐ４”があり、この線溝形状の凹溝部分“Ｐ４”に対しても突条のサネ嵌合部材１５０を嵌合させることができる構成となっている。
このように、上面、下面において、それぞれ線溝形状の凹溝部分“Ｐ４”に対しても突条のサネ嵌合部材１５０を嵌合させれば、壁面部分の強度がさらに向上する。
【００３２】
次に、角部分に関する構造的強度の向上について述べる。
簡易個室構造物１００の組み立てにおいて、矩形に組んだ周回する壁面部分には４つの角部分が存在するが、そのうち２つは既設の第１の角部材１１１をそれぞれ２箇所の既設の角部分として利用できるので、当該角部分は丈夫で構造的強度も大きいと言える。しかし、残りの２つの角部分は、壁面パネルが直角に位置し合うだけであり、当該角部分は構造的強度が十分とは言えない場合があり得る。
【００３３】
図５は、実施例１にかかる簡易個室構造物１００の組み立て時にできる壁面用１２０が直角に会合している角部分に形成されたＬ字状の凹溝部分に、角サネ嵌合部材１４０を用いた補強構造を簡単に示す図である。
図５に示すように、当該箇所は壁面パネル１２０が直角に会合しているが、直接嵌合し合う構造ではない。ここで、両者の凹溝部分“Ｐ４”がＬ字状に会合してＬ字状の溝部分“Ｐ６”形成されている。そこで、当該角部分におけるＬ字状の凹溝部分“Ｐ６”に嵌合する水平断面がＬ字状の形状“Ｐ５”を持つ角サネ嵌合部材１４０を用いて補強する。このＬ字状の形状“Ｐ５”をもつ角サネ嵌合部材１４０を、Ｌ字状の凹溝部分“Ｐ６”に嵌合させて補強すれば、残りの２箇所の角部分の構造的強度が向上でき、簡易個室構造物１００の強度が効果的に向上する。
Ｌ字状の角サネ嵌合部材１４０自体が一体形状物の木塊であれば、容易には破断することがなく、さらに、簡便に十分な強度と十分な正確性（９０度の垂直接合）を確保することができる。４つの角部分の強度を向上せしめれば個室の強度が効果的に向上する。
【００３４】
さらに、角部分の補強策を述べる。
角サネ嵌合部材１４０を取り付けた角部分の外面に貼り付ける補強用の水平断面がＬ字型の補強材１６０を貼り付ける。
図６は、実施例１にかかる簡易個室構造物１００の組み立て時にできる壁面用１２０が直角に会合している角部分に、補強材１６０を貼り付ける補強処理を簡単に示す図である。
角サネ嵌合部材１４０を取り付けた角部分の外面に水平断面がＬ字型の補強材１６０を貼り付ければ、簡易個室構造物１００の構造的強度の向上に資する。
【００３５】
図７は、本考案の簡易個室構造物１００の組み立て例を簡単に示す図である。
図２で示した各部材が、図３，図４，図５，図６の組み立て工程を経て、図７に示したように組み上がる。なお、この例では、図６の後、７枚の床面パネル１３０−１と小型の２枚の１３０‐２を床面に敷き詰めている。
図７（ｂ）は、組み上がった様子を示す図である。なお、壁面パネルの１つが蝶番（図示せず）で開閉可能に取り付けられておりドアとなっている。ドアを開けた図となっている。ドアは片開きの図となっているが、２枚の壁面パネルを用いた観音開きでも良い。また、鍵を取り付けることも好ましい。鍵は簡易個室構造物１００の内側から掛けるものとしては簡易なカンヌキ構造の鍵、外出時に外側から掛ける南京錠の鍵など多様なものが想定され得る。
【実施例２】
【００３６】
実施例２は、収納体として、２つの方形箱体、つまり、方形箱体の第１の収納体と、方形箱体の第２の収納体の２つの方形箱体を備え、部材がそれらに収納されて保管され、災害時などに展開して組み立てる構成例を説明する。
【００３７】
図８は、実施例２にかかる簡易個室構造物１００Ａの収納時における方形箱体の第１収納体１１０−１および第２の収納体１１０−２での保管状態を示す図である。
図８に示すように、実施例２にかかる簡易個室構造物１００Ａは、平常時の保管状態では１つの個室を形成するための部材がすべて、第１の収納体１１０−１と第２の収納体１１０−２の２つの方形箱体に収められている。
管理する行政としては、避難場所において、常備する簡易個室構造物１００Ａの個数分だけ、第１の収納体１１０−１と第２の収納体１１０−２の方形箱体を保管すれば良い。各々の簡易個室構造物１００Ａの設置予定場所まで１セットの第１の収納体１１０−２と第２の収納体１１０−２を運び込んで展開すればよい。
【００３８】
図９は、本考案の簡易個室構造物１００Ａを組み立てるべく、第１収納体１１０−１および第２の収納体１１０−２から部材を取り出した様子を示している。本考案を理解する上で必要な部材のみを図示しており、他の一部の部材については図示していない場合もある。
【００３９】
図９に示すように、第１の収納体１１０−１の方形の外枠体が一つの角とその対角の２箇所で分割可能な構造となっており、第１の収納体１１０−１の外枠体から得られるＬ字状の第１の角部材１１１ともう一つの第１の角部材１１２が得られる。第２の収納体１１０−２の方形の外枠体が一つの角とその対角の２箇所で分割可能な構造となっており、第２の収納体１１０−２の外枠体から得られるＬ字状の第２の角部材１１３ともう一つの第２の角部材１１４が得られる。
【００４０】
さらに、この例では、第１の収納体１１０−１と第２の収納体１１０−２の内部には、複数の壁面パネル１２０、床面パネル１３０−１、１３０−２が入っている。さらに、四隅の角部分の上端に取り付ける角棚部材１４１が４つ、複数本の突条のサネ嵌合部材１５０、組み立て用具である木塊（図示せず）が入っている。
なお、実施例１では、２つのＬ字状の角サネ嵌合部材１４０が入っていたが、この実施例２では、４隅の角部分はすべて既設のＬ字状の第１の角部材１１１、１１２と、第２の角部材１１３、１１４を利用するので、角部分の補強材である角サネ嵌合部材１４０は不要である。この例では、角棚部材１４１が入っており、角部分に棚を形成できる例となっている。角棚部材１４１があれば、角サネ嵌合部材１４０と同等の強度を発揮することができ、角部材（第１の角部材１１１、１１２、第２の角部材１１３、１１４）が直角をなしており当該直角部分に取り付けることができ、当該部分が棚になるという効果も得られる。
上記した壁面パネル１２０、床面パネル１３０−１、１３０−２、角棚部材１４１、突条のサネ嵌合部材１５０、Ｌ字型の補強材１６０は第１の収納体１１０−１、第２の収納体１１０−２のいずれに収納されていても良い。
【００４１】
図１０は、実施例２にかかる本考案の簡易個室構造物１００Ａの組み立て例を簡単に示す図である。
図９で示した各部材が、実施例１で説明した図３，図４の組み立て工程を経て、図１０に示したように組み上がる。なお、この例では、図５の後、１０枚の床面パネル１３０−１、１３０-２を床面に敷き詰め、さらに、四隅の角部分の上面に角棚部材１４１を取り付けている。角棚部材１４１を取り付けることにより、四隅をハンガーの掛け部に使用するなど多目的に利用でき、利便性が向上する。
実施例１と同様、壁面パネルの１つが蝶番（図示せず）で開閉可能に取り付けられておりドアとして利用することができる。図１０はドアを開けた図となっている。ドアは片開きの図となっているが、２枚の壁面パネルを用いた観音開きでも良い。また、鍵を取り付けることも好ましい。鍵は簡易個室構造物１００の内側から掛けるものとしては簡易なカンヌキ構造の鍵、外出時に外側から掛ける南京錠の鍵など多様なものが想定され得る。
【００４２】
以上、実施例２にかかる簡易個室構造物１００Ａでは、実施例１の組み立て手順で行った角部分の形成工程、つまり、組み立て時にできる壁面用１２０同士が直角に会合している角部分への角サネ嵌合部材１４０の補強作業や、この直角に会合している角部分への補強材１６０の貼り付け補強作業は不要である。
図１０に示すように、実施例２にかかる簡易個室構造物１００Ａでは、４隅の角部分はすべて既設の第１の角部材１１１、１１２、第２の角部材１１３、１１４がそのまま使用されていることが分かる。
【００４３】
次に、遮音に関する工夫について述べる。
避難所では複数の住民が一時的に共同で居住するので、生活音が低減できれば居住性が向上する。そこで、壁面パネル１２０や床面パネル１３０、さらには、第１の角部材１１１、１１２、第２の角部材１１３、１１４のいずれかまたは全部の内部に吸音材を配設する工夫があり得る。
吸音材を配することにより、少しでも生活音や話声を和らげる遮音効果が期待でき、居住空間のクオリティが向上する。
例えば、図１１は壁面パネル１２０に示すように、市販されているグラスウール素材の繊維系断熱材１２２を装填するなどもあり得る。一般にグラスウール繊維系断熱材には吸音効果があることが知られており、少しでも生活音や話声を和らげる遮音効果が期待できる。
【００４４】
以上、本考案の簡易個室構造物の実施例を説明してきたが、本考案の技術的範囲を逸脱することなく種々の変更が可能であることは理解されるであろう。
【産業上の利用可能性】
【００４５】
本考案は、自治体などが災害時の避難場所に簡易的に設置する簡易個室構造物として広く適用することができる。また、新型ウイルス対策として、ワークスペースや授乳室、更衣室、診察室、子供室など様々な使い方が想定できる。
【符号の説明】
【００４６】
１００  簡易個室構造物
１１０  収納体
１１０−１  第１の収納体
１１０−２  第２の収納体
１１１  第１の角部材
１１２  他の第１の角部材
１１３  第２の角部材
１１４  他の第２の角部材
１２０  壁面パネル
１３０−１，１３０−２  床面パネル
１４０  角サネ嵌合部材
１５０  突条のサネ嵌合部材
１６０  補強材
【図１】
0003231983.tif 000003
【図２】
0003231983.tif 000004
【図３】
0003231983.tif 000005
【図４】
0003231983.tif 000006
【図５】
0003231983.tif 000007
【図６】
0003231983.tif 000008
【図７】
0003231983.tif 000009
【図８】
0003231983.tif 000010
【図９】
0003231983.tif 000011
【図１０】
0003231983.tif 000012
【図１１】
0003231983.tif 000013
【図１２】
0003231983.tif 000014
【図１３】
0003231983.tif 000015
【図１４】
0003231983.tif 000016
【手続補正書】
【提出日】令和3年3月12日(2021.3.12)
【手続補正１】
【補正対象書類名】実用新案登録請求の範囲
【補正対象項目名】全文
【補正方法】変更
【補正の内容】
【実用新案登録請求の範囲】
【請求項１】
方形箱体の収納体と、それらの中に収納されている複数の部材を用いて形成する簡易個室構造物であって、
前記収納体の方形の外枠体が一つの角とその対角の２箇所で分割可能な構造であり、前記収納体の外枠体から水平断面がＬ字状の第１の角部材が２つ得られ、
前記収納体の内部に収納されている部材として、少なくとも複数の壁面パネルを含み、
２つの前記第１の角部材を、それぞれ２箇所の既設の角部分として利用し、それぞれの前記角部分同士の間を、前記壁面パネルを立設させて接合し、周回する壁面部分を形成することを特徴とした簡易個室構造物。
【請求項２】
少なくとも前記壁面部分の形成に使用される前記壁面パネルが、立設状態の一方の側面に凸縁部分、他の側面に前記凸縁部分と嵌合する凹溝部分を備え、前記壁面パネルの前記凸縁部分に対して隣接する前記壁面パネルの前記凹溝部分を嵌合させてゆくことにより、前記壁面パネル同士を接合できることを特徴とする請求項１に記載の簡易個室構造物。
【請求項３】
少なくとも前記壁面部分の形成に使用される前記壁面パネルが、立設状態の上縁に凹溝部分を備え、隣接し合う前記壁面パネル同士の上縁にて前記凹溝部分が連続して連なる線溝形状を形成し得るものとなっており、
前記収納体に前記凹溝部分に嵌合する突条のサネ嵌合部材が収納されており、
前記突条のサネ嵌合部材を、前記壁面パネル同士の接合箇所の線溝形状の前記凹溝部分を橋梁するように嵌合させ、前記壁面部分の強度を向上せしめたことを特徴とする請求項１または２に記載の簡易個室構造物。
【請求項４】
矩形に組んだ周回する前記壁面部分の４つの角部分のうち、２つの前記第１の角部材以外の２つの角部分において、直角に隣接し合う壁面パネルの上縁において水平断面がＬ字状の凹溝部分が形成され、
前記収納体に、前記角部分における前記Ｌ字状の凹溝部分に嵌合する水平断面がＬ字状の角サネ嵌合部材が収納されており、
前記Ｌ字状の角サネ嵌合部材を、前記角部分の前記Ｌ字状の凹溝部分に嵌合させ、前記角部分の強度を向上せしめたことを特徴とする請求項１から３のいずれかに記載の簡易個室構造物。
【請求項５】
前記収納体に、前記角サネ嵌合部材を取り付けた前記角部分の外面に貼り付ける補強用の水平断面がＬ字型の補強材が収納されており、
前記角サネ嵌合部材を取り付けた前記角部分の外面に前記Ｌ字型の補強材を貼り付けたことを特徴とする請求項４に記載の簡易個室構造物。
【請求項６】
前記収納体が、方形箱体の第１の収納体と、方形箱体の第２の収納体の２つの方形箱体を備えたものであり、
前記第１の収納体の方形の外枠体が一つの角とその対角の２箇所で分割可能な構造であり、前記第１の収納体の外枠体から水平断面がＬ字状の前記第１の角部材が２つ得られ、
前記第２の収納体の方形の外枠体が一つの角とその対角の２箇所で分割可能な構造であり、前記第２の収納体の外枠体から水平断面がＬ字状の第２の角部材が２つ得られ、
前記第１の収納体の内部に収納されている部材および前記第２の収納体の内部に収納されている部材として、少なくとも複数の壁面パネルを含み、
２つの前記第１の角部材と２つの前記第２の角部材を、それぞれ４つの既設の角部分として利用し、それぞれの前記４つの角部分同士の間を、前記壁面パネルを立設させて接合し、周回する壁面部分を形成することを特徴とした請求項１から３のいずれかに記載の簡易個室構造物。
【請求項７】
前記収納体に、内部に断熱材を含み、床面に載置して床面部分を形成する床面パネルが複数収納されており、
前記床面パネルを床面に載置して床面部分を形成することを特徴とする請求項１から６のいずれかに記載の簡易個室構造物。
【請求項８】
前記壁面部分の一部に出入口用のドアを設けたことを特徴とする請求項１から７のいずれかに記載の簡易個室構造物。
【請求項９】
前記壁面パネルの内部に吸音材を配して音低減効果または遮音効果を持たせたことを特徴とする請求項１から８のいずれかに記載の簡易個室構造物。
【請求項１０】
前記床面パネルの内部に吸音材を配して音低減効果または遮音効果を持たせたことを特徴とする請求項７に記載の簡易個室構造物。
【手続補正２】
【補正対象書類名】明細書
【補正対象項目名】００１３
【補正方法】変更
【補正の内容】
【００１３】
上記目的を達成するため、本考案の簡易個室構造物は、方形箱体の収納体と、それらの中に収納されている複数の部材を用いて形成する簡易個室構造物であって、前記収納体の方形の外枠体が一つの角とその対角の２箇所で分割可能な構造であり、前記収納体の外枠体から水平断面がＬ字状の第１の角部材が２つ得られ、  前記収納体の内部に収納されている部材として、少なくとも複数の壁面パネルを含み、２つの前記第１の角部材を、それぞれ２箇所の既設の角部分として利用し、それぞれの前記角部分同士の間を、前記壁面パネルをを立設させて接合し、周回する壁面部分を形成することを特徴とした簡易個室構造物である。
上記構成により、１つの個室を形成するための部材が、１つの方形の収納体という箱体に整理されて保管できる。かつ、個室の形成時には、方形の収納体のフレームである外枠体をそのまま角部材として利用できる。１つの個室の形成にあたり、組み立ての上で肝心となる隅をあらためて組み立てる必要なくそのまま利用できることは極めて有効であり、少なくとも２隅にそのまま載置して立てるだけで個室の外形が決まる。壁面はパネル同士を接合すれば良い。
【手続補正３】
【補正対象書類名】明細書
【補正対象項目名】００１４
【補正方法】変更
【補正の内容】
【００１４】
なお、収納体として、２つの方形箱体、つまり、方形箱体の第１の収納体と、方形箱体の第２の収納体の２つの方形箱体を備えた構成も可能である。
この構成の場合、前記第１の収納体の方形の外枠体が一つの角とその対角の２箇所で分割可能な構造であり、前記第１の収納体の外枠体から水平断面がＬ字状の前記第１の角部材が２つ得られ、また、前記第２の収納体の方形の外枠体が一つの角とその対角の２箇所で分割可能な構造であり、前記第２の収納体の外枠体から水平断面がＬ字状の第２の角部材が２つ得られる。
これら前記第１の収納体の内部に収納されている部材および前記第２の収納体の内部に収納されている部材として、少なくとも複数の壁面パネルを含む。
２つの前記第１の角部材と２つの前記第２の角部材が得られ、それぞれ４つの既設の角部分として利用し、それぞれの前記４つの角部分同士の間を、前記壁面パネルを立設させて接合し、周回する壁面部分を形成することができる。